(57)【要約】【課題】均一、光色差のない、且つハレーションを発生しない白光発光ダイオードを提供すること。【解決手段】本考案の白光発光ダイオードは、主にフレーム上に少なくとも一つの紫外光（或はブルーライト）チップが結合され、紫外光チップ上にシートが重ね合われ、前記シートは主剤に蛍光粉を十分に混合し平坦且つ厚さ及び蛍光粉密度が共に均一な片体を作製することによって、紫外光チップが出射する紫外光を前記シートに透過させた後に、均一、光色差のない、且つハレーションのない白光光源を発生できる。【選択図】  図１
0003115554.tif 000002
【実用新案登録請求の範囲】
【請求項１】
主にフレーム上に少なくとも一つの紫外光チップが結合され、
紫外光チップ上にシートが重ね合わされ、
前記シートは主剤に蛍光粉を十分に混合し平坦で、且つ厚さ及び蛍光粉密度が共に均一な片体を作製することによって、
紫外光チップが出射する紫外光を前記シートに透過させた後に、均一、光色差のない、且つハレーションのない白光光源を発生できることを特徴とする、
白光発光ダイオード。
【請求項２】
主にフレーム上に少なくとも一つのブルーライトチップが結合され、
ブルーライトチップ上にシートが重ね合わされ、
前記シートは主剤に蛍光粉を十分に混合し平坦且つ厚さ及び蛍光粉密度が共に均一な片体を作製することによって、
ブルーライトチップが出射する光を前記シートに透過させた後に、均一、光色差のない、且つハレーションのない白光光源を発生できることを特徴とする、
白光発光ダイオード。
【請求項３】
前記シートの主剤はガラスであることを特徴とする請求項１或は２に記載の白光発光ダイオード。
【請求項４】
前記シートの主剤はシリコンであることを特徴とする請求項１或は２に記載の白光発光ダイオード。
【請求項５】
前記シートの主剤はエポキシ樹脂であることを特徴とする請求項１或は２に記載の白光発光ダイオード。
【請求項６】
前記シートの主剤はシリコンを含むエポキシ樹脂であることを特徴とする請求項１或は２に記載の白光発光ダイオード。
【請求項７】
前記紫外光チップが発する紫外光波長は３９０ｎｍ〜４１０ｎｍであることを特徴とする請求項１記載の白光発光ダイオード。
【請求項８】
前記チップはボンディングワイヤで接合する時に、その上に設置されるシートのサイズは、チップの大きさより小さいことを特徴とする請求項１或は２に記載の白光発光ダイオード。
【請求項９】
前記シートの主剤は透過可能なポリマーであることを特徴とする請求項１或は２に記載の白光発光ダイオード。
【請求項１０】
前記シートの主剤はプラスチック化合物であることを特徴とする請求項１或は２に記載の白光発光ダイオード。
【考案の詳細な説明】
【技術分野】
【０００１】
本考案は、均一、光色差のない、且つハレーションを発生しない白光発光ダイオードに係わり、発光ダイオード或は類似構造に適応するものである。
【背景技術】
【０００２】
１９９６年に日亜化学株式会社(Nichia Chemical Industries, Ltd.)よりブルーライト発光ダイオード励起蛍光粉を開発して以来、それで黄色光を発生させ、さらに光色混合することにより高輝度の白光が発生でき、将来では昼光ランプを代わって白光光源にすることができ、白光ＬＥＤを照明に適応する時代が開かれる。
【考案の開示】
【考案が解決しようとする課題】
【０００３】
白光は多色の混合光であり、白光は少なくとも二種以上の波長の混合光が人目に見なされる。例えば、人目が赤、青、緑の光の刺激を同時に受けるときに、或はブルーライト及びイエロー光の刺激を同時に受けるときに白光に感じるので、その原理により白光を発生するＬＥＤ光源が設計できる。従来の三波長型白光光源は、製作するときにその演色性を向上するために、共に三種以上の蛍光粉を使うので、蛍光粉材料を選ぶことが難しくなる。
【０００４】
しかし、従来の白光ＬＥＤは、図３を参照すると、主に有色チップＢ（例えばブルーライトチップ）をフレームＡのカップ内に固定し、ボンディングワイヤＣで有色チップＢと他一つフレームＤとを接続した後に、蛍光粉ペースト層Ｆをカップ内に注入し、透過層ＥによりフレームＡ、Ｄの上半部を覆い、白光ダイオードの作製を完成する。一般には、蛍光粉ペースト層Ｆ内の蛍光粉の沈下率が異なるので、蛍光粉ペースト層Ｆ内の蛍光粉の配布密度が均一出来なくなり、或は蛍光粉ペースト層Ｆの厚さの差によって、電源を通した後に、白光ダイオードはハレーション及び光色差を発生することは、その最も重要な欠点である。
【０００５】
前記従来の欠点を鑑み、本考案の創作者は均一、光色差のない、且つハレーションを発生しない白光発光ダイオードの提供を期し、専念な観察かつ研究をし、さらに学術理論の運用に合せ、合理的に設計且つ組み立てし消費者に提供することは、本創作が創作しようとする動機である。
【０００６】
本考案の主な目的は、均一、光色差のない、且つハレーションを発生しない白光発光ダイオードを提供する。
【課題を解決するための手段】
【０００７】
前記目的を達成するために、本考案は、主にフレーム上に少なくとも一つの紫外光（或はブルーライト）チップが結合され、紫外光チップ上にシートが重ね合わされ、前記シートは主剤に蛍光粉を十分に混合し平坦且つ厚さ及び蛍光粉密度が共に均一な片体を作製することによって、紫外光チップが出射する紫外光を前記シートに透過させた後に、均一、光色差のない、且つハレーションのない白光光源を発生できる。
【０００８】
本願の第１考案は、主にフレーム上に少なくとも一つの紫外光チップが結合され、紫外光チップ上にシートが重ね合わされ、前記シートは主剤に蛍光粉を十分に混合し平坦且つ厚さ及び蛍光粉密度が共に均一な片体を作製することによって、紫外光チップが出射する紫外光を前記シートに透過させた後に、均一、光色差のない、且つハレーションのない白光光源を発生できることを特徴とする白光発光ダイオードを提供する。
【０００９】
本願の第２考案は、主にフレーム上に少なくとも一つのブルーライトチップが結合され、ブルーライトチップ上にシートが重ね合われ、前記シートは主剤に蛍光粉を十分に混合し平坦且つ厚さ及び蛍光粉密度が共に均一な片体を作製することによって、ブルーライトチップが出射する光を前記シートに透過させた後に、均一、光色差のない、且つハレーションのない白光光源を発生できることを特徴とする白光発光ダイオードを提供する。
【００１０】
本願の第３考案は、前記シートの主剤はガラスであることを特徴とする本願の第１考案或は第２考案に記載の白光発光ダイオードを提供する。
【００１１】
本願の第４考案は、前記シートの主剤はシリコンであることを特徴とする本願の第１考案或は第２考案に記載の白光発光ダイオードを提供する。
【００１２】
本願の第５考案は、前記シートの主剤はエポキシ樹脂であることを特徴とする本願の第１考案或は第２考案に記載の白光発光ダイオードを提供する。
【００１３】
本願の第６考案は、前記シートの主剤はシリコンを含むエポキシ樹脂であることを特徴とする本願の第１考案或は第２考案に記載の白光発光ダイオードを提供する。
【００１４】
本願の第７考案は、前記紫外光チップが発する紫外光波長は３９０ｎｍ〜４１０ｎｍであることを特徴とする本願の第１考案に記載の白光発光ダイオードを提供する。
【００１５】
本願の第８考案は、前記チップはボンディングワイヤで接合する時に、その上に設置されるシートのサイズは、チップの大きさより小さいことを特徴とする本願の第１考案或は第２考案に記載の白光発光ダイオードを提供する。
【００１６】
本願の第９考案は、前記シートの主剤は透過可能なポリマーであることを特徴とする本願の第１考案或は第２考案に記載の白光発光ダイオードを提供する。
【００１７】
本願の第１０考案は、前記シートの主剤はプラスチック化合物であることを特徴とする本願の第１考案或は第２考案に記載の白光発光ダイオードを提供する。
【考案の効果】
【００１８】
以上のように、本考案の装置は以下のような実用利点がある。
（１）シートは厚さ均一且つ溶入物均一の片体であり、紫外光チップに重ね合われるときに、全体が発する光が光色均一に達成できる。
【００１９】
（２）シート内の溶入物密度が均一であるので、チップに照射された後に、その発生した光は、光色差或はハレーションの現象を発生しない。
【考案を実施するための最良の形態】
【００２０】
本考案の他の目的及び利点は、以下の説明及び図示より詳しく説明する。
【実施例】
【００２１】
図１を参照すると、本考案は、主にフレーム１０上に一つの紫外光チップ２０が結合され、紫外光チップ２０は３９０ｎｍ〜４１０ｎｍ紫外光波を出射し、また、紫外光チップ２０上にシート３０が重ね合われ、前記シート３０は主剤に溶入物を均一に混合して作製した平坦な薄片体であり、該溶入物は蛍光粉であり、本実施例の主剤はガラスであり、紫外光チップ２０はボンディングワイヤ４０でフレーム１０及びその他の接続ピン（図を示さず）に接続する時に、該シート３０の大きさは、紫外光チップ２０の大きさより小さく設置する必要があり、ボンディングワイヤ４０の連結をし易くように紫外光チップ２０を露出させ、さらに透過物質で前記各素子を覆い、本考案の取付を完成する。
【００２２】
電源を連通した後に、紫外光チップ２０が出射する紫外光が平坦且つ溶入物を均一に混合したシート３０に透過し、シート３０の厚さが一致であり、且つその内の蛍光粉溶入物密度が一致であると共に、シート３０と紫外光チップ２０との距離も一致であるため、シート３０が紫外光に励起された後に、光色差、ハレーションのない、且つ均一な白光光源を発生できる。
【００２３】
また、図２を参照すると、チップ２０はフリップチップの方式で半田ボール或は金ボールよりフレーム１０に接合しても良い、本実施例は半田ボール５０を例として、紫外光チップ２０は半田ボール５０の接合でフレーム１０にフリップチップされ、紫外光チップ２０の上方にはシート３０が重ね合われ、紫外光チップ２０はフリップチップの方式で接合されるので、ワイヤボンディングで接合する必要がなくなり、シートの外形サイズは紫外光チップ２０のサイズ以上であれば良い。
【００２４】
また、シート３０の主剤はガラス以外に、シリコン、エポキシ樹脂或はシリコン込みエポキシ樹脂、或はその他の透過可能なポリマー、プラスチック化合物で作製しても良い。
【００２５】
しかし、前記に開示されたそれぞれの具体的な構成は、単に本考案の実施可能な好ましい実施例に過ぎなく、本考案の実用新案登録請求の範囲を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００２６】
【図１】本考案の実施例を示す部分断面図である。
【図２】本考案のもう一つの実施例を示す部分断面図である。
【図３】従来の白光発光ダイオードの断面図である。
【符号の説明】
【００２７】
１０  フレーム
２０  紫外光チップ
３０  シート
４０  ボンディングワイヤ
５０  半田ボール
Ａ    フレーム
Ｂ    有色チップ
Ｃ    ボンディングワイヤ
Ｄ    フレーム
Ｅ    透過層
Ｆ    蛍光粉ペースト層
【図１】
0003115554.tif 000003
【図２】
0003115554.tif 000004
【図３】
0003115554.tif 000005